(57)【要約】      （修正有）【課題】公共施設、病院等の集合場所で移動自在の空気清浄機であって、特に、インフルエンザウィルスや細菌を捕捉し、酵素で殺菌不活化する室内空気清浄機を提供する。【解決手段】上部カバー部Ａとフィルター収納部Ｂには、その構成材料をポリプロピレンのオレフィン系樹脂の硬質合成樹脂を使用し、該フィルター収納部において、最下部より、汚れた空気を吸込み、内部の上方に向って粉塵用のプレフィルター３、細菌捕捉用のフィルター４、その上部にインフルエンザウィルスや細菌の捕捉するウルパフィルター５と殺菌灯６を装設する。上部カバー部には排気ファンと排気口８、及び正面に各種スイッチと差圧計１１を備えて構成する。【選択図】図１
0003155621.tif 000002
【実用新案登録請求の範囲】
【請求項１】
清浄機本体（１）は、上部の上部カバー部（Ａ）と下部のフィルター収納部（Ｂ）とより構成され、その構成材料として硬質合成樹脂のポリプロピレン系樹脂を使用して形成され、該フィルター収納部（Ｂ）には、最下部に汚れた空気の吸込口（２）を設け、該吸込口（２）の上部に向って順次粉塵用のプレフィルター（３）、細菌捕捉用と、酵素で殺菌不活化するヴァニッシュフィルター（４）、及びインフルエンザウィルスの捕捉用のウルパフィルター（５）を段設し、最上部には、殺菌灯（６）を配設し、該上部カバー部（Ａ）には、内部に排風ファン（７）、排気口（８）及びモーター（１２）を収納し、且つ該上部カバー部（Ａ）には、正面にファン及び殺菌灯スイッチ（１０）及び差圧計（１１）を装設したことを特徴とした室内空気清浄機。
【考案の詳細な説明】
【技術分野】
【０００１】  本考案は、公共施設、保健所、病院等の集合場所、あるいは会議室、研究室、検査室での環境改善、人の安全を守るために、ダイオキシンの発生しないポリプロピレン系樹脂を使用して形成し、且つ、ウィルスや細菌を捕捉、殺菌、不活化し、室内の空調を保存して人の安全を守る画期的な室内空気清浄機に関するものである。
【背景技術】
【０００２】  従来、この種の室内空気清浄機は、塩化ビニール等のダイオキシンの発生する材料、またはリサイクル化の不可能な材料が使用され、吸入口より浸入した空気は、粉塵用のフィルターを通り、次に活性炭及び脱臭材入りのフィルターを内部に数段に敷設するのが一般的に使用されている現状である。
しかし、これ等の室内の空気清浄機においては、リサイクルが可能で、ダイオキシンの発生しない他の硬質合成樹脂に材料変更されることが検討されている。更に近年においては、インフルエンザウィルスや細菌を捕捉する事、及び酵素で殺菌不活化する事が重要で要望されている現状である。
【先行技術文献】
【実用文献】
【０００３】
【実用文献１】
実用新案登録第３１００４０８号
【実用文献２】
実用新案登録第３１１８５５９号
【考案の概要】
【考案が解決しようとする課題】
【０００４】  本考案は、従来における室内の粉塵、悪臭ガス等を除去する空気清浄機の技術を改良したものであって、空気を清浄にするために、清浄機本体を耐薬、耐蝕、耐熱性に優れ、表面硬度も著しく高く、大変に軽量で光沢の美しいポリプロピレンの硬質合成樹脂を使用した構成によって環境改善したものであり、且つ、現在必要とされているウィルスと細菌の排除の課題を解決するものであり、室内の汚れた空気を下方より吸上げて、先ずフィルターで粉塵を捕捉した後に、酵素で殺菌不活化するフィルター及びインフルエンザウィルスを捕捉するフィルターを装設し、且つ最後にウィルスを殺菌する殺菌灯を通過して、美しい空気を室内に排出して、安心、安全で自由に移動できる室内空気清浄機を提供しようとするものである。
【課題を解決するための手段】
【０００５】  上記の目的を達成するために、本考案の室内空気清浄機は、清浄機本体は、上部カバー部と下部のフィルター収納部とより構成され、その構成材料として、ダイオキシンの発生しない硬質合成樹脂のポリプロピレン系樹脂を使用して構成する。該フィルター収納部には、最下部に汚れた空気の吸込口を設ける。該吸込口の上方に順次粉塵用のプレフィルターと、細菌を捕捉して酵素で殺菌不活化するフィルター、及びその上部にインフルエンザウィルス捕捉用のフィルターを段設する。
そして、該インフルエンザウィルス捕捉用のフィルターには、上部に殺菌灯を装設する。
また、該上部カバー部には、内部に排気ファンと排気口、及びモーターを収納した構成となっている。
さらに、該上部カバー部には、正面にファン及び殺菌灯スイッチ及び差圧計を装備したものである。
【考案の効果】
【０００６】  本考案の室内空気清浄機によれば、従来の構成材料を使用したものと比較すると、ポリプロピレン系樹脂を使用したので、比重が小さく軽量化され自由に移動でき、各施設、病院等の集合場所及び検査室内の粉塵対策、特にアスベスト粉塵対策に最適の効果と、この種の集塵、脱臭及び洗浄装置とインフルエンザウィルスを捕捉するフィルター及び細菌を捕捉し酵素で殺菌不活化するフィルターを装設したので、室内においてインフルエンザの感染拡大を確実に防止でき室内を清浄にできる効果がある。
そして、最下部より汚染された室内空気を吸い込み、上部のプレフィルターによって最初の粉塵を確実に捕捉する効果がある。
また、該プレフィルターの上部に位置する細菌捕捉用のフィルターによっては、捕捉した細菌を酵素で殺菌不活化する効果と、該細菌捕捉用のフィルターの上部に設けたウルパフィルターは、インフルエンザウィルスを捕捉する優れた効果がある。
さらに、該ウルパフィルターの上部に設けた殺菌灯によっては、紫外線直接照射でウィルスや細菌を殺菌不活化する効果がある。
また、上部の排気ファンによって、綺麗になった室内の空気を室内に循環して完全な空調を実施する効果もある。
【図面の簡単な説明】
【０００７】
【図１】  本考案の一部欠除した正面図である。
【図２】  同じく本考案の一部欠除した側面図である。
【図３】  本考案の一部欠除した上面図である。
【考案を実施するための形態】
【０００８】  上記のように構成された室内空気清浄機は、室内を移動自在とし、ファン及び殺菌灯（６）の操作により、下部の吸込口（２）より汚れた室内の空気を吸い込み、その時、プレフィルター（３）で粉塵を捕捉し、捕捉された細菌を上部の捕捉用フィルターのヴァニッシュフィルター（４）による酵素で殺菌不活化し、上昇した空気は上部のインフルエンザウィルスや細菌を捕捉するウルパフィルター（５）を通り、上部の殺菌灯（６）によるウィルスを殺菌不活化した後に、上部カバー部（Ａ）内の排風機（７）より排気口（８）を経て室内に放出するものである。
【実施例】
【０００９】  本考案の実施例を図面について説明すると、清浄機本体（１）は、方形状の上部カバー部（Ａ）と、下部のフィルター収納部（Ｂ）より構成されている。該清浄機本体（１）は、その構成材料をダイオキシンの発生しないポリプロピレンのオレフィン系樹脂の硬質合成樹脂を材料として使用する。該フィルター収納部（Ｂ）には、正面内部の最下部に室内の汚れた空気を吸い込む吸込口（２）を位置する。該吸込口（２）の上部に粉塵を捕捉するプレフィルター（３）を平坦状に段設する。
該プレフィルター（３）には、上段に細菌を捕捉し、酵素で殺菌不活化するヴァニッシュフィルター（４）を配設する。
次に、該ヴァニッシュフィルター（４）には、その上部に位置してインフルエンザウィルスと細菌とを捕捉するウルパフィルター（５）を段設してある。また、該ウルパフィルター（５）には、上方に紫外線直接照射方式でウィルスを殺菌不活化する防湿型の殺菌灯（６）を吊設して取り付ける。
次に、ポリプロピレンのオレフィン系樹脂の硬質合成樹脂よりなる該上部カバー部（Ａ）には、内部に室内空気を吸い込み、きれいな空気を送り出す排風ファン（７）を設置すると共に、側方に連接して排気口（８）を装設してある。【００１０】  また、該上部カバー部（Ａ）には、加湿によるウィルス対策および室内の湿、温対策する加湿器（９）を使用に応じて装設する。更に、表面には、ファン及び殺菌灯スイッチ（１０）を装設し、符号（１１）は、差圧計（１１）を示し、（１２）は、モーターを示すものである。また、符号（１４）、（１５）は、ガラリ付吸込口を示したものである。符号（１６）は、清浄機本体（１）を室内を軽く自由に移動できるためのキャスターである。
【符号の説明】
【００１１】１            清浄機本体
２            吸込口
３            プレフィルター
４            ヴァニッシュフィルター
５            ウルパフィルター
６            殺菌灯
７            排気ファン
８            排気口
９            加湿器
１０          ファン及び殺菌灯スイッチ
１１          差圧計
１２          モーター
１４、１５    ガラリ付吸込口
Ａ            上部カバー部
Ｂ            フィルター収納部
【図１】
0003155621.tif 000003
【図２】
0003155621.tif 000004
【図３】
0003155621.tif 000005